(57)【特許請求の範囲】
【請求項１】
基端側で連結された一対の腕部がその基端連結部付近を変形させることにより開閉するように形成されたクリップと、上記クリップの基端連結部付近に係合することにより上記腕部を閉じた状態に維持するクリップ閉じリングとがシースの先端付近に上記シースから離脱可能に配置され、上記クリップの基端連結部付近に係合していない状態の上記クリップ閉じリングを上記シースの基端側からの遠隔操作によって上記クリップの基端連結部付近に係合させる操作動作伝達部材が上記シース内に挿通配置された内視鏡用クリップ装置において、
上記クリップの一対の腕部の各先端から、上記腕部に対して鋭角に内方に向かう爪状部が上記腕部に対し３０°〜６０°の角度で突出形成されて、上記爪状部の先端の断端面が上記腕部に対して略垂直をなす向きに上記腕部の内面との間に隙間をあけて形成されていることを特徴とする内視鏡用クリップ装置。
【請求項２】
上記クリップがバネ性のある板材を曲げて一つながりに形成され、上記爪状部は上記腕部の先端部分を内方に折り曲げて形成されている請求項１記載の内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
内視鏡用クリップ装置は一般に、図６に示されるように、基端連結部２ｃを変形させることにより開閉する一対の腕部２ａを有するクリップ２が、図示されていないシースの先端付近に配置されており、腕部２ａの各先端には、内方に曲がった爪状部２ｂが形成されている。
【０００３】
また、腕部２ａが閉じるようにクリップ２の基端連結部２ｃを変形させるためのクリップ閉じリング６が、シースから離脱可能にシースの先端内に配置されている。
【０００４】
そして、シース内に挿通配置された操作動作伝達部材でクリップ２の基端連結部２ｃにクリップ閉じリング６を押し被せることにより、腕部２ａが閉じて、図６に示されるように、爪状部２ｂが粘膜に刺さる状態でクリップ２を患部に留置することができるようになっている。
【０００５】
【発明が解決しようとする課題】
しかし、従来の内視鏡用クリップ装置においては、腕部２ａに対して爪状部２ｂのなす角度が直角又は鈍角だったので（例えば特公平８−１７７７８号公報）、留置中のクリップ２に外力が作用すると爪状部２ｂが粘膜内から抜け出し、クリップ２が比較的容易に患部１００から脱落してしまっていた。
【０００６】
そこで本発明は、留置中のクリップが外力等の作用によって患部から簡単に脱落することのない留置性のよい内視鏡用クリップ装置を提供することを目的とする。
【０００７】
【課題を解決するための手段】
上記の目的を達成するため、本発明の内視鏡用クリップ装置は、基端側で連結された一対の腕部がその基端連結部付近を変形させることにより開閉するように形成されたクリップと、クリップの基端連結部付近に係合することにより腕部を閉じた状態に維持するクリップ閉じリングとがシースの先端付近にシースから離脱可能に配置され、クリップの基端連結部付近に係合していない状態のクリップ閉じリングをシースの基端側からの遠隔操作によってクリップの基端連結部付近に係合させる操作動作伝達部材がシース内に挿通配置された内視鏡用クリップ装置において、クリップの一対の腕部の各先端から、腕部に対して鋭角に内方に向かう爪状部が突出形成されているものである。
【０００８】
なお、爪状部が腕部に対してなす角度が３０°〜６０°の範囲にあると、粘膜に対して刺さり易くて抜け難く、非常に好ましい。
【０００９】
【発明の実施の形態】
図面を参照して本発明の実施例を説明する。
図２は内視鏡用クリップ装置の全体構成を示しており、例えば四フッ化エチレン樹脂チューブ等からなる可撓性のシース１の先端部分にクリップ２が配置されている。
【００１０】
図２においては、クリップ２は基端寄りの部分がシース１の先端内に収容されていて、開いた状態の一対の腕部２ａとその各先端に内方に向かって突出形成された爪状部２ｂとが見えている。
【００１１】
シース１の基端に連結された操作部２０は、端部に指掛け２３ａが取り付けられた本体軸２３にスライダー２２がスライド自在に取り付けられ、シース１の基端筒状体２１が本体軸２３及びスライダー２２に対して独立してスライド自在に配置されて構成されている。
【００１２】
図１はシース１の先端部分を拡大して示しており、この図においては、外力が加わっていない時の自然状態（即ち、一対の腕部２ａが平行な状態）になったクリップ２が、ほぼ完全にシース１内に引き込まれている。
【００１３】
クリップ２は、例えばバネ用ステンレス鋼板等を曲げて一つながりに形成されていて、一対の腕部２ａの各先端部分から内方に折れ曲がって突出形成された爪状部２ｂが腕部２ａに対してなす角度θが鋭角（即ち、９０°未満）になっている。
【００１４】
一対の腕部２ａの基端側は、ほぼ３６０°の環状に形成された基端連結部２ｃにより連結された構成になっており、基端連結部２ｃを変形させることによって腕部２ａが開閉する。
【００１５】
そして、操作部２０に配置された前述のスライダー２２によって軸線方向に進退操作される操作ワイヤ３が軸線方向に進退自在にシース１の軸線位置に配置されていて、その先端には、クリップ２に対して係脱させることができるクリップ連結フック４がつなぎ部材５を介して取り付けられている。
【００１６】
クリップ連結フック４は、図１に示されるように、外径が太く形成された先端部分がクリップ２の基端連結部２ｃの基端に形成された連結孔２ｄに通されて抜け止め状態になることによりクリップ２と連結されている。
【００１７】
そして、後述する図４に示されるように、クリップ連結フック４の軸線方向に形成されたスリ割りを狭めるように弾性変形させることによって、クリップ連結フック４を連結孔２ｄから抜き出してクリップ２に対する連結状態を解除することができる。
【００１８】
シース１の先端内には、クリップ２の基端連結部２ｃを変形させるためのクリップ閉じリング６が配置されている。クリップ閉じリング６は基端側の内径が先端側より細く形成された短筒状に形成されていて、クリップ２の基端連結部２ｃは、クリップ閉じリング６内に引き込まれることにより変形する。
【００１９】
クリップ閉じリング６の基端部分が係脱自在に嵌め込まれたリング受け部材８は、操作部２０の本体軸２３に連結された例えばステンレス鋼線材の密巻コイルからなるリング押出コイル７の先端に固着されている。
【００２０】
このように構成された内視鏡用クリップ装置においては、図示されていない内視鏡の処置具挿通チャンネルにシース１を通し、クリップ２がシース１の先端から前方に出た状態にして、クリップ閉じリング６を操作部２０側から押し出す（又は、操作ワイヤ３を操作部２０側から牽引する）。
【００２１】
すると、まず図３に示されるように、クリップ２の基端連結部２ｃがクリップ閉じリング６内に引き込まれた状態になって変形することにより、一対の腕部２ａが開いた状態に変化する。
【００２２】
その状態で一対の腕部２ａの間に患部を位置させ、クリップ閉じリング６を操作部２０側から押し出すと、図４に示されるように、基端連結部２ｃがさらに変形すると同時にクリップ閉じリング６の先端がクリップ２の一対の腕部２ａを背側から押し、それによって一対の腕部２ａが平行に閉じた状態になり、爪状部２ｂが患部１００の粘膜に突き刺さる状態になる。
【００２３】
また、クリップ２の基端連結部２ｃがクリップ閉じリング６の基端側の細い内径部に嵌まり込んで潰される状態に変形し、それによって、クリップ連結フック４が潰されて連結孔２ｄから抜け出せる状態になる。
【００２４】
そこで、クリップ連結フック４をクリップ２から外して、シース１側の部分全体を手元側に引き去ることにより、図５に示されるように、クリップ閉じリング６と共にクリップ２が患部１００の粘膜に食い付いた状態に留置される。
【００２５】
この留置状態において、患部１００の粘膜に突き刺さっているクリップ２の爪状部２ｂが腕部２ａに対してなす角度θが鋭角なので、クリップ２が患部１００から外れる方向に外力が作用しても爪状部２ｂが鉤状に粘膜に係合しているので、クリップ２は簡単には粘膜から脱落しない。
【００２６】
なお、爪状部２ｂと腕部２ａがなす角度θが９０°に近いと爪状部２ｂが粘膜から抜け易くなって、０°に近いと粘膜に刺さり難くなり、θが３０°〜６０°程度の範囲にあると、刺さり易くて抜け難くなり、最も好ましい。
【００２７】
【発明の効果】
本発明によれば、クリップを容易に留置することができ、しかもクリップの一対の腕部の各先端から腕部に対して鋭角に内方に向かう爪状部が突出形成されていることにより、留置中のクリップが外力等の作用によって患部から簡単に脱落せず、優れた留置性を得ることができる。
【図面の簡単な説明】
【図１】本発明の実施例の内視鏡用クリップ装置の先端部分の側面断面図である。
【図２】本発明の実施例の内視鏡用クリップ装置の全体構成を示す外観図である。
【図３】本発明の実施例の内視鏡用クリップ装置のクリップの開閉動作における開状態を示す側面断面図である。
【図４】本発明の実施例の内視鏡用クリップ装置のクリップの開閉動作における閉状態を示す側面断面図である。
【図５】本発明の実施例の内視鏡用クリップ装置のクリップの留置状態を示す側面断面図である。
【図６】従来の内視鏡用クリップ装置のクリップの留置状態を示す側面断面図である。
【符号の説明】
１  シース
２  クリップ
２ａ  腕部
２ｂ  爪状部
２ｃ  基端連結部
３  操作ワイヤ（操作動作伝達部材）
４  クリップ連結フック
５  つなぎ部材
６  クリップ閉じリング
７  リング押出コイル（操作動作伝達部材）
２０  操作部
【図１】
0004070964.tif 000002
【図２】
0004070964.tif 000003
【図３】
0004070964.tif 000004
【図４】
0004070964.tif 000005
【図５】
0004070964.tif 000006
【図６】
0004070964.tif 000007